【手続補正書】
【提出日】平成20年2月25日(2008.2.25)
【手続補正１】
【補正対象書類名】明細書
【補正対象項目名】請求項１
【補正方法】変更
【補正の内容】
【請求項１】
遊技者が指定した電子メールアドレスを該遊技者が所有する遊技者特定記録媒体に記録された該遊技者を特定可能な遊技者特定情報と対応付けて登録する電子メールアドレス登録手段と、
該電子メールアドレス登録手段にて登録された前記電子メールアドレスを前記遊技者特定情報と対応付けて記憶する電子メールアドレス記憶手段と、
遊技機に対応して設けられ、前記遊技者特定記録媒体を受け付けて、該遊技者特定記録媒体に記録された前記遊技者特定情報を読み取る読取手段と、
該読取手段にて前記遊技者特定記録媒体を受け付けたことに基づいて、前記遊技機での遊技に関連して発生する遊技関連情報を前記受け付けた遊技者特定記録媒体の遊技者特定情報から特定される遊技者個人に係る個人遊技関連情報として記憶を開始するための処理を行う個人遊技関連情報記憶開始手段と、
該遊技機での遊技が終了したか否かの判断を行い、該遊技が終了したと判断した場合に、前記個人遊技関連情報の記憶を終了するための処理を行う個人遊技関連情報記憶終了手段と、
前記個人遊技関連情報記憶開始手段における処理に基づく前記記憶の開始から前記個人遊技関連情報記憶終了手段における処理に基づく前記記憶の終了までの間に発生した前記個人遊技関連情報を集計して記憶する個人遊技関連情報集計記憶手段と、
該個人遊技関連情報集計記憶手段にて集計された前記個人遊技関連情報を前記遊技者特定情報と対応付けて記憶する個人遊技関連情報記憶手段と、
各遊技機での遊技に関連して発生する遊技関連情報を各遊技機の遊技機遊技関連情報として集計して記憶する遊技機遊技関連情報集計記憶手段と、
前記個人遊技関連情報記憶手段にて前記遊技者特定情報と対応付けて記憶されている前記個人遊技関連情報と前記遊技機遊技関連情報集計記憶手段にて記憶されている前記遊技機遊技関連情報を含む電子メールを作成すると共に、該作成された電子メールを前記電子メールアドレス記憶手段にて該遊技者特定情報と対応付けて記憶されている前記電子メールアドレス宛に送信する電子メール送信手段と、
からなる遊技用システム。
【手続補正２】
【補正対象書類名】明細書
【補正対象項目名】０００７
【補正方法】変更
【補正の内容】
【０００７】
まず請求項１に係る発明は、遊技者が指定した電子メールアドレスを該遊技者が所有する遊技者特定記録媒体に記録された該遊技者を特定可能な遊技者特定情報と対応付けて登録する電子メールアドレス登録手段と、該電子メールアドレス登録手段にて登録された前記電子メールアドレスを前記遊技者特定情報と対応付けて記憶する電子メールアドレス記憶手段と、遊技機に対応して設けられ、前記遊技者特定記録媒体を受け付けて、該遊技者特定記録媒体に記録された前記遊技者特定情報を読み取る読取手段と、該読取手段にて前記遊技者特定記録媒体を受け付けたことに基づいて、前記遊技機での遊技に関連して発生する遊技関連情報を前記受け付けた遊技者特定記録媒体の遊技者特定情報から特定される遊技者個人に係る個人遊技関連情報として記憶を開始するための処理を行う個人遊技関連情報記憶開始手段と、該遊技機での遊技が終了したか否かの判断を行い、該遊技が終了したと判断した場合に、前記個人遊技関連情報の記憶を終了するための処理を行う個人遊技関連情報記憶終了手段と、前記個人遊技関連情報記憶開始手段における処理に基づく前記記憶の開始から前記個人遊技関連情報記憶終了手段における処理に基づく前記記憶の終了までの間に発生した前記個人遊技関連情報を集計して記憶する個人遊技関連情報集計記憶手段と、該個人遊技関連情報集計記憶手段にて集計された前記個人遊技関連情報を前記遊技者特定情報と対応付けて記憶する個人遊技関連情報記憶手段と、各遊技機での遊技に関連して発生する遊技関連情報を各遊技機の遊技機遊技関連情報として集計して記憶する遊技機遊技関連情報集計記憶手段と、前記個人遊技関連情報記憶手段にて前記遊技者特定情報と対応付けて記憶されている前記個人遊技関連情報と前記遊技機遊技関連情報集計記憶手段にて記憶されている前記遊技機遊技関連情報を含む電子メールを作成すると共に、該作成された電子メールを前記電子メールアドレス記憶手段にて該遊技者特定情報と対応付けて記憶されている前記電子メールアドレス宛に送信する電子メール送信手段と、からなる遊技用システムである。これによれば、遊技者が電子メールアドレスを電子メールアドレス登録手段にて登録すると、該電子メールアドレスが遊技者を特定可能な遊技者特定情報と対応付けて電子メールアドレス記憶手段に記憶される。次に遊技者が前記遊技者特定情報が記録された遊技者特定記録媒体を使用して遊技機での遊技を行うと、発生した遊技関連情報が個人遊技関連情報として個人遊技関連情報集計記憶手段にて集計及び記憶され、遊技者が遊技を終了すると、該集計及び記憶された個人遊技関連情報が遊技者特定情報と対応付けて個人遊技関連情報記憶手段に記憶される。また発生した遊技関連情報が遊技機遊技関連情報として遊技機遊技関連情報集計記憶手段にて集計及び記憶される。その後に電子メール送信手段にて、該記憶された個人遊技関連情報及び遊技機遊技関連情報を含む電子メールが作成され、該電子メールが前記遊技者の登録した電子メールアドレス宛に送信される。従って、遊技者に対して該遊技者個人に係る個人遊技関連情報及び遊技機に係る遊技機遊技関連情報を容易に提供できる。
【手続補正３】
【補正対象書類名】明細書
【補正対象項目名】０１６５
【補正方法】変更
【補正の内容】
【０１６５】
まず請求項１に係る発明は、遊技者が指定した電子メールアドレスを該遊技者が所有する遊技者特定記録媒体（会員カード５）に記録された該遊技者を特定可能な遊技者特定情報（会員ＩＤ）と対応付けて登録する電子メールアドレス登録手段（会員登録機１０）と、該電子メールアドレス登録手段にて登録された前記電子メールアドレスを前記遊技者特定情報と対応付けて記憶する電子メールアドレス記憶手段（会員登録情報ＤＢ７３ａ）と、遊技機（パチンコ機２０）に対応して設けられ、前記遊技者特定記録媒体を受け付けて、該遊技者特定記録媒体に記録された前記遊技者特定情報を読み取る読取手段（会員カードＲ／Ｗ３４）と、該読取手段にて前記遊技者特定記録媒体を受け付けたことに基づいて、前記遊技機での遊技に関連して発生する遊技関連情報を前記受け付けた遊技者特定記録媒体の遊技者特定情報から特定される遊技者個人に係る個人遊技関連情報として記憶を開始するための処理を行う個人遊技関連情報記憶開始手段（制御部３２又は３２’）と、該遊技機での遊技が終了したか否かの判断を行い、該遊技が終了したと判断した場合に、前記個人遊技関連情報の記憶を終了するための処理を行う個人遊技関連情報記憶終了手段（制御部３２又は３２’）と、前記個人遊技関連情報記憶開始手段における処理に基づく前記記憶の開始から前記個人遊技関連情報記憶終了手段における処理に基づく前記記憶の終了までの間に発生した前記個人遊技関連情報を集計して記憶する個人遊技関連情報集計記憶手段（個人遊技関連情報集計記憶部３７又は制御部９２’と個人遊技関連情報ＤＢ９３ｂ’）と、該個人遊技関連情報集計記憶手段にて集計された前記個人遊技関連情報を前記遊技者特定情報と対応付けて記憶する個人遊技関連情報記憶手段（個人遊技関連情報ＤＢ７３ｂ）と、各遊技機での遊技に関連して発生する遊技関連情報を各遊技機の遊技機遊技関連情報として集計して記憶する遊技機遊技関連情報集計記憶手段（制御部９２と遊技機遊技関連情報ＤＢ９３ａ又は制御部９２’と遊技機遊技関連情報ＤＢ９３ａ’）と、前記個人遊技関連情報記憶手段にて前記遊技者特定情報と対応付けて記憶されている前記個人遊技関連情報と前記遊技機遊技関連情報集計記憶手段にて記憶されている前記遊技機遊技関連情報を含む電子メールを作成すると共に、該作成された電子メールを前記電子メールアドレス記憶手段にて該遊技者特定情報と対応付けて記憶されている前記電子メールアドレス宛に送信する電子メール送信手段（電子メール送信用コンピュータ８０）と、からなる遊技用システム（１又は１’）である。